(57)【要約】【課題】ハンドルケースを扉パネルにワンタッチで簡易に取り付ける。【解決手段】このハンドルＨでは、複数のケースフック取付凹部１３及び軸受１４と、複数のケースフック１５と、複数のばね部材とを備え、扉用ハンドルの扉パネルＰへの取り付けに当たり、ハンドルケース１を扉パネルＰの取付用開口Ｐ０に扉パネルＰの正面側から背面側へ挿入して、扉パネルＰの正面側でフランジ１１を取付用開口Ｐ０の縁部周囲に圧接させるとともに、扉パネルＰの背面側で各ケースフック１５の各係止爪１５Ｃを取付用開口Ｐ０の縁部に係止させて、扉用ハンドルを扉パネルＰにワンタッチで取り付ける。【選択図】図７
2020122344.tif 000002
【特許請求の範囲】
【請求項１】
正面に開口を有し、前記正面の開口周囲にフランジを有し、扉パネルに取り付けられるハンドルケースと、前記ハンドルケース内に装着されるハンドルレバーと、前記ハンドルケースの背面側に回転軸を介して回転可能に取り付けられるとともに前記ハンドルレバーに作動連結されて、前記ハンドルレバーの操作により、機器格納用キャビネットなどの固定枠体側の受け金などの受け部に対して係脱可能な止め金とを備え、扉パネルに形成された取付用開口に前記ハンドルケースを前記ハンドルケースの背面側から挿入するとともに、前記ハンドルケースのフランジを前記扉パネルの正面側で前記取付用開口の縁部周囲に当接させて固定する取り付け形式の扉用ハンドルであって、
前記ハンドルケースの周面をなす少なくとも相互に対向する２面にそれぞれ凹設される複数のケースフック取付凹部、及び前記各ケースフック取付凹部の両側に形成される複数の一対の軸受と、
前記各ケースフック取付凹部内に嵌合可能に略コマ状に形成され、前記各一対の軸受に対向する両側部間で一方の端部側に回動中心を設けられ、前記各ケースフック取付凹部内に嵌合配置されて外側に表れる外面から他方の端部にかけてを係止爪となし、前記各一対の軸受の前記フランジとは反対側の端部間に架け渡される軸を介して回動可能に支持されて、前記係止爪を前記各ケースフック取付凹部から前記ハンドルケースの周面をなす各面の外側に出没可能に配置される複数のケースフックと、
前記各ケースフックと前記各ケースフック取付凹部との間に介装され、前記各係止爪を常態として前記各ケースフック取付凹部から前記ハンドルケースの周面をなす各面の外側へ突出可能に回動付勢する複数のばね部材と、
を備え、
前記扉用ハンドルの前記扉パネルへの取り付けに当たり、前記ハンドルケースを前記扉パネルの前記取付用開口に前記扉パネルの正面側から背面側へ挿入するとともに、前記ハンドルケースの周面の前記各ケースフックを前記取付用開口の縁部で押圧して前記各ケースフック取付凹部に没入させながら前記取付用開口を前記扉パネルの正面側から背面側へ通し、前記扉パネルの背面側で前記各ケースフックを前記各ケースフック取付凹部から前記ハンドルケースの周面をなす各面の外側へ突出させて、前記扉パネルの正面側で前記フランジを前記取付用開口の縁部周囲に圧接させるとともに、前記扉パネルの背面側で前記各ケースフックの前記各係止爪を前記取付用開口の縁部又は縁部周囲に係止させて、前記扉用ハンドルを前記扉パネルにワンタッチで取り付ける、
ことを特徴とするワンタッチ取付ハンドル。
【請求項２】
各ケースフックは、一方の端部側の両側部間に回動中心として軸挿通部が設けられ、他方の端部が円の中心を前記回動中心よりも前記一方の端部側でかつ外面とは反対側の内面寄りの位置におく円弧状に形成される請求項１に記載のワンタッチ取付ハンドル。
【請求項３】
各ケースフックは、外面がハンドルケースの周面をなす各面と略平行に形成され、一方の端部が断面略Ｖ字形の突状に形成され、内面が前記外面と対称的に前記外面と平行に又は平行よりも少し開く方向に向けて形成される請求項１又は２に記載のワンタッチ取付ハンドル。
【請求項４】
各ケースフックの内面に筒状の孔が形成され、ばね部材として複数のコイルスプリングを採用され、前記各コイルスプリングが一端を前記各フックの孔に保持され、他端を各ケースフック取付凹部の底部に保持されて、前記各ケースフックと前記各ケースフック取付凹部との間に介装される請求項１乃至３のいずれかに記載のワンタッチ取付ヒンジ。
【請求項５】
各ケースフックの孔は、ハンドルケースが前記各ケースフックとともに扉パネルの取付用開口に通される前又は後で、前記各ケースフックの係止爪が各ケースフック取付凹部から前記ハンドルケースの周面をなす各面から突出されるときに、各コイルスプリングをフランジ側に凸の円弧状に変形案内可能に、前記各ケースフックの内面に対して所定の角度を付けて形成され、かつ前記孔の前記ケースフックの一方の端部側の内周面の一部が、前記ハンドルケースが前記ケースフックとともに前記取付用開口に通される間で、前記各ケースフックの各係止爪が前記各ケースフック取付凹部に没入されるときに、前記各コイルスプリングを前記フランジとは反対側に凸の円弧状に変形案内可能に、前記孔の奥側から開口側に向けて漸次拡径される所定の角度の傾斜を付けて形成される請求項４に記載のワンタッチ取付ハンドル。
【請求項６】
止め金にその正面、背面間を貫通する取付孔を有し、回転軸の先端に止め金取付部を備え、前記回転軸の前記止め金取付部は、前記回転軸の先端側の周面をなす少なくとも相互に対向する２面にそれぞれ凹設される複数の止め金フック取付凹部、及び前記各止め金フック取付凹部の両側に形成される一対の軸受と、前記各止め金フック取付凹部内に嵌合可能に略コマ状に形成され、前記各一対の軸受に対向する両側面部間で一方の端部側に回動中心を設けられ、前記各止め金フック取付凹部内に嵌合配置されて外側に表れる外面から他方の端部にかけてを係止爪となし、前記各一対の軸受の先端間に２本並列に架け渡される２つの軸を介して回動可能に支持されて、前記係止爪を前記止め金フック取付凹部から前記回転軸の先端側の周面をなす各面から外側へ出没可能に配置される一対の止め金フックと、前記各止め金フック取付凹部間を貫通して前記各止め金フック間に又は前記各止め金フックと前記各止め金フック取付凹部との間に介装され、前記各係止爪を常態として前記各止め金フック取付凹部から前記回転軸の先端側の周面をなす各面の外側へ突出可能に回動付勢する一つ又は複数のばね部材とを備え、前記止め金の前記回転軸の前記止め金取付部への取り付けに当たり、前記回転軸を前記止め金の前記取付孔に前記止め金の正面側から背面側へ挿入するとともに、前記回転軸の先端の前記各止め金フックを前記止め金の前記取付孔の縁部で押圧して前記各止め金フック取付凹部に没入させながら前記取付孔を前記止め金の正面側から背面側へ通し、前記止め金の背面側で前記各止め金フックを前記回転軸の先端側の周面をなす各面から外側へ突出させて、前記止め金の正面側で前記ハンドルケースの背面を前記取付孔の縁部周囲に圧接させるとともに、前記止め金の背面側で前記各止め金フックの前記各係止爪を前記取付孔の縁部又は縁部周囲に係止させて、前記止め金を前記回転軸にワンタッチで取り付ける請求項１乃至５のいずれかに記載のワンタッチ取付ハンドル。
【請求項７】
各止め金フックは、一方の端部側の両側部間に回動中心として軸挿通部が設けられ、他方の端部が円の中心を前記回動中心よりも前記一方の端部側でかつ外面とは反対側の内面寄りの位置におく円弧状に形成される請求項６に記載のワンタッチ取付ハンドル。
【請求項８】
各止め金フックは、外面が回転軸の周面をなす各面と略平行に形成され、一方の端部が断面略Ｖ字形の突状に形成され、内面が前記外面と対称的に前記外面と平行に又は平行よりも少し開く方向に向けて形成される請求項６又は７に記載のワンタッチ取付ハンドル。
【請求項９】
各止め金フックの内面に筒状の孔が形成され、ばね部材としてコイルスプリングを採用され、前記コイルスプリングが両端を前記各止め金フックの孔に保持されて、前記各止め金フック間に介装される請求項６乃至８のいずれかに記載のワンタッチ取付ハンドル。
【請求項１０】
各止め金フックの孔は、回転軸が前記各止め金フックとともに止め金の取付孔に通される前又は後で、前記各止め金フックの前記各係止爪が前記止め金フック取付凹部から外側へ突出されるときに、コイルスプリングをフランジ側に凸の円弧状に変形案内可能に、前記各止め金フックの内面に対して所定の角度を付けて形成され、かつ前記各止め金フックの孔の前記各止め金フックの一方の端部側及び／又は他方の端部側の内周面の一部が、前記回転軸が前記各止め金フックとともに前記止め金の取付孔に通される間で、前記各止め金フックの前記各係止爪が前記各止め金フック取付凹部に没入されるときに、前記コイルスプリングを前記フランジとは反対側に凸の円弧状に変形案内可能に、前記孔の奥側から開口側に向けて漸次拡径される所定の角度の傾斜を付けて形成される請求項９に記載のワンタッチ取付ハンドル。
【発明の詳細な説明】
【技術分野】
【０００１】
本発明は、配電盤や制御盤などの機器を格納する機器格納用キャビネットなどの扉パネルに使用する扉用ハンドルに関し、特に、扉パネルに形成した取付用開口にワンタッチで簡易に取り付けることのできるワンタッチ取付ハンドルに関する。
【背景技術】
【０００２】
従来、この種の扉用ハンドルを扉パネルに取り付ける場合、扉パネルに扉用ハンドルのハンドルケースの取付用開口を形成するとともに、その両端部の近接した部位にねじ孔や透孔を穿設し、当該取付用開口にハンドルケースをその背面側から埋め込んだ後、扉パネルの正面側から、ビスをハンドルケ−スの透孔より扉パネルのねじ孔にねじ込むか、扉パネルの背面側から、ビスを扉パネルの透孔よりハンドルケ−スのねじ孔にねじ込むことによって、扉パネルに取り付けている。また、このような扉用ハンドルの取り付けでは、扉パネルにハンドルケ−スの取付用開口と、この開口の両端部に近接してねじ孔や透孔を設ける必要があり、このため孔開け加工をしなければならい上、ビス止めの際に扉パネルの正面側から扉用ハンドルを取付位置に押えていなければならないなど、取付作業の能率が悪いことから、ハンドルケースの正面端部に外周縁が扉パネルの正面に当接する正面板を設け、この正面板の背面側に固定用のブロックをねじにより取り付けて、扉用ハンドルを、ケースの正面板と固定用のブロックとの間に扉パネルの取付用開口の縁部を挟み込んでねじの締め込みにより固定するようにしたものも一般に使用されている。このようにこの種の扉用ハンドルの扉パネルへの取り付けでは、ねじを用いた取り付け形式が主流になっている。このような扉用ハンドル及びその取り付け形式が、特許文献１などに記載されている。
【先行技術文献】
【特許文献】
【０００３】
【特許文献１】特開平９−５３３４６号公報
【発明の概要】
【発明が解決しようとする課題】
【０００４】
しかしながら、上記従来の扉用ハンドルの取り付け形式では、ハンドルケースを扉パネルに取り付ける場合に、ねじを使用するため、ねじをねじ孔に差し込み、締め込む作業が必要で、作業が煩雑にならざるを得ない、という問題がある。
【０００５】
本発明は、このような従来の問題を解決するもので、この種の扉用ハンドルにおいて、ハンドルケースを扉パネルに、ねじを使用することなしに、ワンタッチで、簡易に取り付けることができ、取付作業の大幅な向上を図ること、を目的とする。
【課題を解決するための手段】
【０００６】
上記目的を達成するために、本発明のワンタッチ取付ハンドルは、
正面に開口を有し、前記正面の開口周囲にフランジを有し、扉パネルに取り付けられるハンドルケースと、前記ハンドルケース内に装着されるハンドルレバーと、前記ハンドルケースの背面側に回転軸を介して回転可能に取り付けられるとともに前記ハンドルレバーに作動連結されて、前記ハンドルレバーの操作により、機器格納用キャビネットなどの固定枠体側の受け金などの受け部に対して係脱可能な止め金とを備え、扉パネルに形成された取付用開口に前記ハンドルケースを前記ハンドルケースの背面側から挿入するとともに、前記ハンドルケースのフランジを前記扉パネルの正面側で前記取付用開口の縁部周囲に当接させて固定する取り付け形式の扉用ハンドルであって、
前記ハンドルケースの周面をなす少なくとも相互に対向する２面にそれぞれ凹設される複数のケースフック取付凹部、及び前記各ケースフック取付凹部の両側に形成される複数の一対の軸受と、
前記各ケースフック取付凹部内に嵌合可能に略コマ状に形成され、前記各一対の軸受に対向する両側部間で一方の端部側に回動中心を設けられ、前記各ケースフック取付凹部内に嵌合配置されて外側に表れる外面から他方の端部にかけてを係止爪となし、前記各一対の軸受の前記フランジとは反対側の端部間に架け渡される軸を介して回動可能に支持されて、前記係止爪を前記各ケースフック取付凹部から前記ハンドルケースの周面をなす各面の外側に出没可能に配置される複数のケースフックと、
前記各ケースフックと前記各ケースフック取付凹部との間に介装され、前記各係止爪を常態として前記各ケースフック取付凹部から前記ハンドルケースの周面をなす各面の外側へ突出可能に回動付勢する複数のばね部材と、
を備え、
前記扉用ハンドルの前記扉パネルへの取り付けに当たり、前記ハンドルケースを前記扉パネルの前記取付用開口に前記扉パネルの正面側から背面側へ挿入するとともに、前記ハンドルケースの周面の前記各ケースフックを前記取付用開口の縁部で押圧して前記各ケースフック取付凹部に没入させながら前記取付用開口を前記扉パネルの正面側から背面側へ通し、前記扉パネルの背面側で前記各ケースフックを前記各ケースフック取付凹部から前記ハンドルケースの周面をなす各面の外側へ突出させて、前記扉パネルの正面側で前記フランジを前記取付用開口の縁部周囲に圧接させるとともに、前記扉パネルの背面側で前記各ケースフックの前記各係止爪を前記取付用開口の縁部又は縁部周囲に係止させて、前記扉用ハンドルを前記扉パネルにワンタッチで取り付ける、
ことを要旨とする。
【０００７】
また、このワンタッチ取付ハンドルは各部が次のような構成を備えることが好ましい。
（１）各ケースフックは、一方の端部側の両側部間に回動中心として軸挿通部が設けられ、他方の端部が円の中心を前記回動中心よりも前記一方の端部側でかつ外面とは反対側の内面寄りの位置におく円弧状に形成される。
（２）各ケースフックは、外面がハンドルケースの周面をなす各面と略平行に形成され、一方の端部が断面略Ｖ字形の突状に形成され、内面が前記外面と対称的に前記外面と平行に又は平行よりも少し開く方向に向けて形成される。
（３）各ケースフックの内面に筒状の孔が形成され、ばね部材として複数のコイルスプリングを採用され、前記各コイルスプリングが一端を前記各フックの孔に保持され、他端を各ケースフック取付凹部の底部に保持されて、前記各ケースフックと前記各ケースフック取付凹部との間に介装される。
この場合、各ケースフックの孔は、ハンドルケースが前記各ケースフックとともに扉パネルの取付用開口に通される前又は後で、前記各ケースフックの係止爪が各ケースフック取付凹部から前記ハンドルケースの周面をなす各面から突出されるときに、各コイルスプリングをフランジ側に凸の円弧状に変形案内可能に、前記各ケースフックの内面に対して所定の角度を付けて形成され、かつ前記孔の前記ケースフックの一方の端部側の内周面の一部が、前記ハンドルケースが前記ケースフックとともに前記取付用開口に通される間で、前記各ケースフックの各係止爪が前記各ケースフック取付凹部に没入されるときに、前記各コイルスプリングを前記フランジとは反対側に凸の円弧状に変形案内可能に、前記孔の奥側から開口側に向けて漸次拡径される所定の角度の傾斜を付けて形成されることが望ましい。
（４）止め金にその正面、背面間を貫通する取付孔を有し、回転軸の先端に止め金取付部を備え、前記回転軸の前記止め金取付部は、前記回転軸の先端側の周面をなす少なくとも相互に対向する２面にそれぞれ凹設される複数の止め金フック取付凹部、及び前記各止め金フック取付凹部の両側に形成される一対の軸受と、前記各止め金フック取付凹部内に嵌合可能に略コマ状に形成され、前記各一対の軸受に対向する両側面部間で一方の端部側に回動中心を設けられ、前記各止め金フック取付凹部内に嵌合配置されて外側に表れる外面から他方の端部にかけてを係止爪となし、前記各一対の軸受の先端間に２本並列に架け渡される２つの軸を介して回動可能に支持されて、前記係止爪を前記止め金フック取付凹部から前記回転軸の先端側の周面をなす各面から外側へ出没可能に配置される一対の止め金フックと、前記各止め金フック取付凹部間を貫通して前記各止め金フック間に又は前記各止め金フックと前記各止め金フック取付凹部との間に介装され、前記各係止爪を常態として前記各止め金フック取付凹部から前記回転軸の先端側の周面をなす各面の外側へ突出可能に回動付勢する一つ又は複数のばね部材とを備え、前記止め金の前記回転軸の前記止め金取付部への取り付けに当たり、前記回転軸を前記止め金の前記取付孔に前記止め金の正面側から背面側へ挿入するとともに、前記回転軸の先端の前記各止め金フックを前記止め金の前記取付孔の縁部で押圧して前記各止め金フック取付凹部に没入させながら前記取付孔を前記止め金の正面側から背面側へ通し、前記止め金の背面側で前記各止め金フックを前記回転軸の先端側の周面をなす各面から外側へ突出させて、前記止め金の正面側で前記ハンドルケースの背面を前記取付孔の縁部周囲に圧接させるとともに、前記止め金の背面側で前記各止め金フックの前記各係止爪を前記取付孔の縁部又は縁部周囲に係止させて、前記止め金を前記回転軸にワンタッチで取り付ける。
この場合、各止め金フックは、一方の端部側の両側部間に回動中心として軸挿通部が設けられ、他方の端部が円の中心を前記回動中心よりも前記一方の端部側でかつ外面とは反対側の内面寄りの位置におく円弧状に形成されることが望ましい。
この場合、各止め金フックは、外面が回転軸の周面をなす各面と略平行に形成され、一方の端部が断面略Ｖ字形の突状に形成され、内面が前記外面と対称的に前記外面と平行に又は平行よりも少し開く方向に向けて形成されることが望ましい。
この場合、各止め金フックの内面に筒状の孔が形成され、ばね部材としてコイルスプリングを採用され、前記コイルスプリングが両端を前記各止め金フックの孔に保持されて、前記各止め金フック間に介装されることが望ましい。
この場合、各止め金フックの孔は、回転軸が前記各止め金フックとともに止め金の取付孔に通される前又は後で、前記各止め金フックの前記各係止爪が前記止め金フック取付凹部から外側へ突出されるときに、コイルスプリングをフランジ側に凸の円弧状に変形案内可能に、前記各止め金フックの内面に対して所定の角度を付けて形成され、かつ前記各止め金フックの孔の前記各止め金フックの一方の端部側及び／又は他方の端部側の内周面の一部が、前記回転軸が前記各止め金フックとともに前記止め金の取付孔に通される間で、前記各止め金フックの前記各係止爪が前記各止め金フック取付凹部に没入されるときに、前記コイルスプリングを前記フランジとは反対側に凸の円弧状に変形案内可能に、前記孔の奥側から開口側に向けて漸次拡径される所定の角度の傾斜を付けて形成されることが望ましい。
【発明の効果】
【０００８】
本発明のワンタッチ取付ヒンジによれば、上記の構成により、扉用ハンドルの扉パネルへの取り付けに当たり、ハンドルケースを扉パネルの取付用開口に扉パネルの正面側から背面側へ挿入するとともに、ハンドルケースの周面の各ケースフックを取付用開口の縁部で押圧して各ケースフック取付凹部に没入させながら取付用開口に扉パネルの正面側から背面側へ通し、扉パネルの背面側で各ケースフックを各ケースフック取付凹部からハンドルケースの周面をなす各面の外側へ突出させて、扉パネルの正面側でフランジを取付用開口の縁部周囲に圧接させるとともに、扉パネルの背面側で各ケースフックの各係止爪を取付用開口の縁部又は縁部周囲に係止させて、扉用ハンドルを扉パネルにワンタッチで取り付けるようにしたので、ハンドルケースを扉パネルに、ねじを使用することなしに、ワンタッチで、簡易に取り付けることができ、取付作業の大幅な向上を図ることができる、という本発明独自の格別な効果を奏する。
【図面の簡単な説明】
【０００９】
【図１】本発明の一実施の形態におけるワンタッチ取付ハンドル、及び回転軸と止め金とのワンタッチ取付構造の外部構成を示す図（（ａ）は平面図（ｂ）は側面図）
【図２】同ワンタッチ取付ハンドル、及び同回転軸と止め金とのワンタッチ取付構造の内部構成、及び背面側の構成を示す図（（ａ）は平面断面図（ｂ）は側面断面図（ｃ）は側面断面図（ｄ）は背面図（ｅ）はワンタッチ取付ハンドルに備えた錠前ユニットのキーを示す正面図）
【図３】同ワンタッチ取付ハンドルに用いるケースフックの構成を示す図（（ａ）は側面図（ｂ）は側面断面図（ｃ）は背面図（ケースフックの内面を示す図））
【図４】同ワンタッチ取付ハンドル、及び同回転軸と止め金とのワンタッチ取付構造に用いる止め金の構成を示す図（（ａ）は平面図（ｂ）は正面図）
【図５】同ワンタッチ取付ハンドル、及び同回転軸と止め金とのワンタッチ取付構造に用いる回転軸の構成を示す図（（ａ）は先端から見た端面図（ｂ）は平面図（ｃ）は側面図（ｄ）は側面断面図）
【図６】同回転軸と止め金とのワンタッチ取付構造に用いる止め金フックの構成を示す図（（ａ）は側面図（ｂ）は側面断面図（ｃ）は背面図（止め金フックの内面を示す図））
【図７】同ワンタッチ取付ハンドルよる扉用ハンドルの扉パネルへの取付方法、及び同回転軸と止め金とのワンタッチ取付構造による止め金の回転軸への取付方法を示す図（（ａ）は平面図（ｂ）は側面図（ｃ）は背面図）
【発明を実施するための形態】
【００１０】
次に、この発明を実施するための形態について図を用いて説明する。
図１にワンタッチ取付ハンドルの全体構成を示している。
図１に示すように、ワンタッチ取付ハンドルＨ（以下、単にハンドルＨという場合がある。）は、基本的に、正面に開口１０を有し、正面の開口１０周囲にフランジ１１を有し、扉パネルに取り付けられるハンドルケース１と、ハンドルケース１内に装着されるハンドルレバー２と、ハンドルケース１の背面側に回転軸３を介して回転可能に取り付けられるとともにハンドルレバー２に作動連結されて、ハンドルレバー２の操作により、機器格納用キャビネットなどの固定枠体側の受け金などの受け部に対して係脱可能な止め金４とを備え、扉パネルに形成された取付用開口にハンドルケース１をハンドルケース１の背面側から挿入するとともに、ハンドルケース１のフランジ１１１を扉パネルの正面側で取付用開口の縁部周囲に当接させて固定する取り付け形式の扉用ハンドルとして構成される。
【００１１】
そして、このハンドルＨでは、特に、ハンドルケース１の周面（周壁又は側壁）１２をなす少なくとも相互に対向する２面にそれぞれ凹設される複数のケースフック取付凹部１３、及び各ケースフック取付凹部１３の両側に形成される複数の一対の軸受１４と、各ケースフック取付凹部１３内に嵌合可能に略コマ状に形成され、各一対の軸受１４に対向する両側面部間で一方の端部側に回動中心Ｃ１を設けられ（図３参照）、各ケースフック取付凹部１３内に嵌合配置されて外側に表れる外面から他方の端部にかけてを係止爪１５Ｃとなし、各一対の軸受１４のフランジ１１とは反対側の端部間に架け渡される軸１６を介して回動可能に支持されて、係止爪１５Ｃを各ケースフック取付凹部１３からハンドルケース１の周面１２をなす各面の外側に出没可能に配置される複数のケースフック１５と、各ケースフック１５と各ケースフック取付凹部１３との間に介装され、各係止爪１５Ｃを常態として各ケースフック取付凹部１３からハンドルケース１の周面１２をなす各面の外側へ突出可能に回動付勢する複数のばね部材１７（図２参照）とを備える。
【００１２】
このようにして扉用ハンドルの扉パネルへの取り付けに当たり、ハンドルケース１を扉パネルの取付用開口に扉パネルの正面側から背面側へ挿入するとともに、ハンドルケース１の周面１２の各ケースフック１５を取付用開口の縁部で押圧して各ケースフック取付凹部１３に没入させながら取付用開口を扉パネルの正面側から背面側へ通し、扉パネルの背面側で各ケースフック１５を各ケースフック取付凹部１３からハンドルケース１の周面１２をなす各面の外側へ突出させて、扉パネルの正面側でフランジ１１を取付用開口の縁部周囲に圧接させるとともに、扉パネルの背面側で各ケースフック１５の各係止爪１５Ｃを取付用開口の縁部又は縁部周囲に係止させて、扉用ハンドルを扉パネルにワンタッチで取り付けるようになっている。
【００１３】
また、図１に回転軸と止め金とのワンタッチ取付構造を併せて示している。
図１に示すように、この回転軸３と止め金４とのワンタッチ取付構造Ｓ（以下、単にワンタッチ取付構造Ｓという場合がある。）は、基本的に、正面に開口１０を有し、正面の開口１０周囲にフランジ１１を有するハンドルケース１を含む扉パネルに取り付けられる取付ベースＢと、取付ベースＢの正面側に装着されるハンドルレバー２と、取付ベースＢの背面側に回転軸３を介して回転可能に取り付けられるとともにハンドルレバー２に作動連結されて、ハンドルレバー２の操作により、機器格納用キャビネットなどの固定枠体側の受け金などの受け部に対して係脱可能な止め金４とを備え、止め金４にその正面、背面間を貫通する取付孔４０を有し、回転軸３の先端に止め金取付部３Ａを有し、回転軸３先端の止め金取付部３Ａを止め金４の取付孔４０に止め金４の正面側から背面側へ挿入して固定する形式の扉用ハンドルの回転軸３と止め金４との取付構造Ｓとして構成される。
【００１４】
そして、このワンタッチ取付構造Ｓでは、特に、回転軸３の止め金取付部３Ａは、回転軸３の先端側の周面３２をなす少なくとも相互に対向する２面にそれぞれ凹設される複数の止め金フック取付凹部３３、及び各止め金フック取付凹部３３の両側に形成される一対の軸受３４と、各止め金フック取付凹部３３内に嵌合可能に略コマ状に形成され、各一対の軸受３４に対向する両側面部間で一方の端部側に回動中心Ｃ２を設けられ（図５参照）、各止め金フック取付凹部３３内に嵌合配置されて外側に表れる外面から他方の端部にかけてを係止爪３５Ｃとなし、各一対の軸受３４の先端間に２本並列に架け渡される２つの軸３６を介して回動可能に支持されて、係止爪３５Ｃを止め金フック取付凹部３３から回転軸３の先端側の周面をなす各面から外側へ出没可能に配置される一対の止め金フック３５と、各止め金フック取付凹部３３間を貫通して各止め金フック３５間に又は各止め金フック３５と各止め金フック取付凹部３３との間に介装され、各係止爪３５Ｃを常態として各止め金フック取付凹部３３から回転軸３の先端側の周面３２をなす各面の外側へ突出可能に回動付勢する一つ又は複数のばね部材３７（図２参照）とを備える。
【００１５】
このようにして止め金４の回転軸３の止め金取付部３Ａへの取り付けに当たり、回転軸３を止め金４の取付孔４０に止め金４の正面側から背面側へ挿入するとともに、回転軸３の先端の各止め金フック３５を止め金４の取付孔４０の縁部で押圧して各止め金フック取付凹部３３に没入させながら取付孔４０を止め金４の正面側から背面側へ通し、止め金４の背面側で各止め金フック３５を回転軸３の先端側の周面３２をなす各面から外側へ突出させて、止め金４の正面側でハンドルケース１の背面を取付孔４０の縁部周囲に圧接させるとともに、止め金１４の背面側で各止め金フック３５の各係止爪３５Ｃを取付孔４０の縁部又は縁部周囲に係止させて、止め金４を回転軸３にワンタッチで取り付けるようになっている。
【００１６】
図２、図３に扉用ハンドルとして平面ハンドルを例示して、平面ハンドルとしてのワンタッチ取付ハンドルＨ、及びこの平面ハンドルに備える回転軸３と止め金４とのワンタッチ取付構造Ｓについて具体的に説明する。
【００１７】
図２に示すように、このワンタッチ取付ハンドルＨは、平面ハンドルとして、正面に開口１０を有し、正面の開口１０の周囲にフランジ１１を有し、扉パネルに取り付けられるハンドルケース１と、ハンドルケース１に回転可能に挿通されるハンドル軸（回転軸）３に回動軸５を介してハンドルケース１に対して起伏回動可能に装着されるハンドルレバー２と、ハンドルケース１の背面側にハンドル軸３を介して回転可能に取り付けられ、ハンドルレバー２の回転操作によりキャビネット本体などの固定枠体側の受け金などの受け部（図示省略）に対して係脱可能な止め金４とを備え、扉パネルに形成された取付用開口にハンドルケース１をハンドルケース１の背面側から挿入するとともに、ハンドルケース１のフランジ１１を扉パネルの正面側で取付用開口の縁部周囲に当接させて取り付け固定され、扉パネルの開閉時にハンドルレバー２をハンドルケース１から引き起こして回転操作することにより止め金４を機器格納用キャビネットなどの受け部に対して係脱し、扉パネルを閉めた後はハンドルレバー２をハンドルケース１上に倒伏して収納する形式になっている。
【００１８】
また、このハンドルＨは、ハンドルレバー２の下部側にハンドルケース１側のスライダー挿入部（受け部）１１１に係脱可能なスライダー（錠止部材）６１を有する錠前ユニット（シリンダー錠）６が組み込まれて、ハンドルケース１上にハンドルレバー２が収納された状態で、キーＫを錠前ユニット６のキー孔６０に挿入し所定の施錠方向に回転操作することにより、ハンドルレバー２側の錠前ユニット６のスライダー６１がハンドルケース１側のスライダー挿入部１１１に挿入されてハンドルレバー２が施錠され、キーＫを所定の解錠方向に回転操作することにより、錠前ユニット６のスライダー６１がスライダー挿入部１１１から離脱されてハンドルレバー２が解錠され、さらに、このハンドルＨでは、ハンドルレバー２の下部側に錠前ユニット６の上部に隣接してインジケータ７が組み込まれ、このインジケータ７が錠前ユニット６のスライダー６１に作動連結されて、錠前ユニット６のキーＫの回転操作に連動して、ハンドルレバー２が錠前ユニット６により錠止された場合のハンドルレバー２のロック状態と、ハンドルレバー２の錠前ユニット６による錠止が解除された場合のハンドルレバー２のアンロック状態とを切り替え表示するようになっている。
【００１９】
そして、このハンドルＨの場合、ハンドルケース１は、亜鉛ダイカストやアルミニウムなどにより、全体として縦に長い略長方形状で正面に開口１０を有する浅底のケース形に形成されて、正面の開口１０と、背面部（底部）１ａと、４側面部（上面部１ｂ、左右側面部１ｃ、１ｄ、下面部１ｅ）とからなり、正面の開口１０周囲全周にフランジ１１が張り出され、背面部１ａの上部には軸挿通穴１０１が穿たれるとともにこの軸挿通穴１０１に連通して無底の円筒部１０２を後方に突出形成されてハンドル取付部１０３が設けられ、背面部１ａの下部側には後述するハンドルレバー２下部の錠前ユニット収納部２３を挿通可能に通し穴１０４が穿たれるとともにこの通し穴１０４に連通してハンドルレバー２下部の錠前ユニット収納部２３を嵌挿可能に有底の角筒部１０５を後方に突出形成されてハンドルレバー収納凹部１０６が設けられ、背面部１ａの正面側がハンドルレバー収納部１０７として構成される。このハンドルケース１の上部ハンドル取付部１０３に、先端に止め金取付部３Ａを有し、基端に軸受３Ｂを有するハンドル軸３が挿着されて、先端の止め金取付部３Ａがハンドル取付部１０３の背面部開口から突出され、基端の軸受３Ｂが軸挿通穴１０１からハンドル取付部１０３の正面部側に突出される。
また、ハンドルレバー２は、亜鉛ダイカストやアルミニウムなどにより、全体として縦に長い略長方形状で薄厚のプレート状に形成されて、正面部２ａと、背面部２ｂと、４側面部（上面部２ｃ、左右側面部（図示省略）、下面部２ｆ）とからなり、背面部２ｂの上部に軸受２０、下部側に錠前ユニット６を挿通可能に穴２１が穿たれるとともにこの穴２１に連通して錠前ユニット６を装着可能に内周面を円筒形とする有底の角筒部２２を形成されて錠前ユニット収納部２３が設けられ、ハンドルレバー２の上下方向中間部から下部先端側にかけてがグリップ部２４になっている。このハンドルレバー２は上部の軸受２０がハンドルケース１のハンドル取付部１０３に挿着されたハンドル軸３の軸受３Ｂにステンレスバネ鋼からなる曲面板バネ３８を介装されて回動軸５を介して連結される。このようにしてハンドルレバー２はハンドルケース１に起伏回動可能に取り付けられ、ハンドルレバー２をハンドルケース１から引き起こすと、ハンドルレバー２が任意の引き起こし位置に保持され、ハンドルレバー２をハンドルケース１上に倒伏し当接させると、この倒伏位置にハンドルレバー２が保持される。
なお、この場合、ハンドルレバー２の背面部２ｂの上部基端側でハンドルケース１に対向する部位、特に、ハンドルケース１に対してハンドルレバー２を起伏させて回動した際にハンドルレバー２の背面部２ｂがハンドルケース１の正面部に摺接する可能性のある部位（この場合、軸受２０の下部）に保護部材取付部２５が設けられて、この保護部材取付部２５に弾性、柔軟性、耐摩耗性、摺動性に優れた合成樹脂材からなる保護部材２６が取り付けられる。このようにしてハンドルレバー２の操作の際に、ハンドルレバー２の背面部２ｂがハンドルケース１の正面に摺接しても、ハンドルレバー２の背面部２ｂの保護部材２６がハンドルケース１の正面に小さい摩擦抵抗で接触して円滑に摺動するので、ハンドルレバー２とハンドルケース１の金属同士の噛み合いをなくして、相互に損傷するのを防止する。
【００２０】
このような平面ハンドルとしてのワンタッチ取付ハンドルＨは、既述のとおり、複数のケースフック取付凹部１３、及び複数の一対の軸受１４と、複数のケースフック１５と、複数のばね部材１７とを備える。
【００２１】
複数のケースフック取付凹部１３はハンドルケース１の周面１２、すなわち、４側面部をなす少なくとも相互に対向する２面にそれぞれ凹設される。
この場合、ケースフック取付凹部１３はハンドルケース１の上面部１ｂの幅方向中央に１箇所、下面部１ｅの幅方向中央に１箇所、左右各側面部１ｃ、１ｄの高さ方向中央にそれぞれ２箇所ずつ並列に、合計６箇所に背面部１ａ側を開口して凹設される。また、この場合、ハンドルケース１の上面部１ｂ、下面部１ｅの各ケースフック取付凹部１３は断面コ字形に形成され、その底部の中央には溝を形成されてばね受け部が併せて設けられる。ハンドルケース１の左右各側面部１ｃ、１ｄの各ケースフック取付凹部１３はそれぞれ、断面コ字形に形成され、その底部の中央に溝を形成されてばね受け部が併せて設けられる。また、左右各側面部１ｃ、１ｄの各ケースフック取付凹部１３にあっては、ハンドルケース１の背面部１ａにおける（各ケースフック取付凹部１３の）開口縁部のうち底部側の縁部に沿って底部の後端延長上に少し突出する立ち上がり部１３１が形成される。この場合、各立ち上がり部１３１は底部の縁部方向に長い長方形で幅狭の板状に形成され、その高さは後述するフック保持プレート１３２の厚さと略同じである。
【００２２】
複数の一対の軸受１４は各ケースフック取付凹部１３の両側に形成される。
この場合、ハンドルケース１の上面部１ｂ、下面部１ｅの各ケースフック取付凹部１３では、左右両側に一対の軸受１４が形成され、左右の各軸受１４の（ハンドルケース１の）フランジ１１とは反対側の端部に軸挿通部１４０が各軸受１４の内面（ケースフック取付凹部１３の内側面）と外面（ハンドルケース１の左右各側面部１ｃ、１ｄの上部、下部）との間を貫通して形成される。ハンドルケース１の左右各側面部１ｃ、１ｄの各ケースフック取付凹部１３では、上下両側に一対の軸受１４が形成され、上下の各軸受１４の（ハンドルケース１の）フランジ１１とは反対側の端部に断面略Ｕ字形の溝形の軸挿通部１４１が形成される。また、左右各側面部１ｃ、１ｄの各ケースフック取付凹部１３にあっては、溝形の軸挿通部１４１を軸挿通部としてその開口を塞いで、後述するケースフック１５をケースフック取付凹部１３に保持するために、各ケースフック取付凹部１３に共通の１枚のフック保持プレート１３２か併用される。この場合、フック保持プレート１３２は、ハンドルケース１の背面部１ａに開口される左右各側面部１ｃ、１ｄの各ケースフック取付凹部１３をその開口周囲（各軸挿通部１４１を含む）を含めて被覆可能な大きさの縦に長い長方形のステンレス鋼製のプレートから各ケースフック取付凹部１３の各開口縁部及び底部側の縁部の各立ち上がり部１３１の内向きの側面に沿って４つの四角形の切り欠き１３３を形成されて構成される。このフック保持プレート１３２の左右の各切り欠き１３３間にねじ挿通孔１３４が２つ穿設され、ハンドルケース１の背面部１ａの左右の各ケースフック取付凹部１３間にねじ孔１３６が切られて、フック保持プレート１３２はハンドルケース１の背面部１ａにフック保持プレート１３２の各ねじ挿通孔１３４に通されるねじ１３５をハンドルケース１の背面部１ａの各ねじ孔１３６に締結されて取り付けられ、このフック保持プレート１３２により、左右の各側面部１ｃ、１ｄの各ケースフック取付凹部１３の上下両側に設けられた各軸受１４の溝形の軸挿通部１４１の背面部１ａ側の開口を覆い塞ぐようになっている。
【００２３】
複数のケースフック１５はそれぞれ、各ケースフック取付凹部１３内に嵌合可能に略コマ状に形成され、各一対の軸受１４に対向する両側部間で一方の端部側に回動中心Ｃ１を設けられ（図３参照）、各ケースフック取付凹部１３内に嵌合配置されて外側に表れる外面から他方の端部にかけてを係止爪１５Ｃとなし、各一対の軸受１４のフランジ１１とは反対側の端部間に架け渡される軸１６を介して回動可能に支持されて、係止爪１５Ｃを各ケースフック取付凹部１３からハンドルケース１の周面１２をなす各面の外側に出没可能に配置される。
この場合、各ケースフック１５は、図３に示すように、軸支側となる一方の端部１５ａ側の両側面部１５ｂ、１５ｃ間に回動中心Ｃ１として軸挿通部１４０が設けられ、その反対の他方の端部１５ｆが、円の中心を当該回動中心Ｃ１よりも一方の端部１５ａ側を取り、かつ外面１５ｄとは反対側の内面１５ｅ寄りの位置におく円弧状に形成される。また、各ケースフック１５は、外面１５ｄがハンドルケース１の周面１２をなす各面と略平行に形成される。一方の端部１５ａ、つまり、外面１５ｄの一端と内面１５ｅの一端との間が断面略Ｖ字形の突状に形成されて外面１５ｄに連続する一方の面が所定の円弧状の面に、内面１５ｅに連続する他方の面は所定の角度を付けた傾斜面に形成される。なお、この内面１５ｅに連続する他方の面は外面１５ｄに連続する一方の面との間に所定の角度を付けられて、ケースフック取付凹部１３の底部に係合可能なストッパー１５１になっており、このストッパー１５１とケースフック取付凹部１３の底部との衝接係合により、各ケースフック１５の各ケースフック取付凹部１３から突出方向への過度の回動、すなわち各ケースフック１５の各ケースフック取付凹部１３からの飛び出し（図２参照）が規制されるようになっている。そして、内面１５ｅが外面１５ｄと対称的に外面１５ｄと平行に又は平行よりも少し開く方向に向けて、この場合は、平行よりも少し開く方向に向けて形成される。なお、ここで各ケースフック１５の外面１５ｄ、内面１５ｅは四角形の平面に、左右の各側面部１５ｂ、１５ｃは外面１５ｄ、内面１５ｅの幅よりも幅狭の四角形の平面に、一方の端部１５ａは断面略Ｖ字形で、この場合、外面１５ｄに連続する一方の面は所定の円弧状の面に、内面１５ｅに連続する他方の面は所定の角度を付けた傾斜面（ストッパー１５１）に、他方の端部１５ｆは外面１５ｄ、内面１５ｅの幅よりも幅狭の四角形で断面円弧状の面になっている。このようなケースフック１５の形状により、ハンドルケース１の周面１２の限られたスペースに形成されたケースフック取付凹部１３に合わせて小型に形成してケースフック取付凹部１３に取り付けることができる。
このようにして上下の各ケースフック１５は、図２に示すように、上面部１ｂ、下面部１ｅの各ケースフック取付凹部１３に、左右の各軸受１４の軸挿通部１４０と各ケースフック１５の軸挿通部１５０との間に挿通される軸１６、この場合、ステンレス製のスプリングピンを介して軸支されて、各係止爪１５Ｃが各ケースフック取付凹部１３からハンドルケース１の周面１２をなす上面部１ｂ、下面部１ｅの外側に出没可能に配置され、左右の各ケースフック１５は、左右の各側面部１ｃ、１ｄの各ケースフック取付凹部１３に、上下の各軸受１４の溝形の軸挿通部１４１と各ケースフック１５の軸挿通部１５０との間に軸１６、この場合、ステンレス製のスプリングピンを挿通され、ハンドルケース１の背面部１ａにフック保持プレート１３２がねじ止めされることにより、このフック保持プレート１３２により保持される各スプリングピンを介して軸支されて、各係止爪１５Ｃが各ケースフック取付凹部１３からハンドルケース１の周面１２をなす左右各側面部１ｃ、１ｄの外側に出没可能に配置される。
また、この場合、複数のばね部材１７に後述のとおりコイルスプリング（以下、コイルスプリング１７という。）を採用されるため、図３に示すように、各ケースフック１５の内面１５ｅに有底（円）筒状の孔１５２が形成され、各コイルスプリング１７が一端を各ケースフック１５の孔１５２に保持され、他端を各ケースフック取付凹部１３の底部に保持されて、各ケースフック１５と各ケースフック取付凹部１３との間に介装される。
ここで各ケースフック１５の孔１５２は、ハンドルケース１が各ケースフック１５とともに扉パネルの取付用開口に通される前又は後で、各ケースフック１５の係止爪１５Ｃが各ケースフック取付凹部１３からハンドルケース１の周面１２をなす各面から突出されるときに、各コイルスプリング１７をフランジ１１側に凸の円弧状に変形案内可能に、各ケースフック１５の内面１５ｅに対して所定の角度を付けて形成され、かつ孔１５２のケースフック１５の一方の端部１５ａ側の内周面の一部が、ハンドルケース１がケースフック１５とともに取付用開口に通される間で、各ケースフック１５の係止爪１５Ｃが各ケースフック取付凹部１３に没入されるときに、各コイルスプリング１７をフランジ１１とは反対側に凸の円弧状に変形案内可能に、孔１５２の奥側から開口側に向けて漸次拡径される所定の角度の傾斜を付けて形成される。
【００２４】
複数のばね部材１７は、既述のとおり、コイルスプリング１７が採用され、各ケースフック１５と各ケースフック取付凹部１３との間に介装され、各係止爪１５Ｃを常態として各ケースフック取付凹部１３からハンドルケース１の周面１２をなす各面の外側へ突出可能に回動付勢する。
この場合、各コイルスプリング１７は、一端が各ケースフック取付凹部１３の底部のばね受け部に取り付けられ、他端が各ケースフック１５の孔１５２の底部のばね受け部に取り付けられて、各ケースフック１５と各ケースフック取付凹部１３との間に介装され、各係止爪１５Ｃを常態として各ケースフック取付凹部１３からハンドルケース１の周面１２をなす各面の外側へ突出可能に回動付勢し、そして、既述のとおり、各ケースフック１５のストッパー１５１と各ケースフック取付凹部１３の底部との衝接係合により、各ケースフック１５の各ケースフック取付凹部１３から突出方向への過度の回動、すなわち各ケースフック１５の各ケースフック取付凹部１３からの飛び出しを規制する。
【００２５】
このようにして扉用ハンドルの扉パネルへの取り付けに当たり、ハンドルケース１を扉パネルの取付用開口に扉パネルの正面側から背面側へ挿入するとともに、ハンドルケース１の周面１２の各ケースフック１５を取付用開口の縁部で押圧して各ケースフック取付凹部１３に没入させながら取付用開口を扉パネルの正面側から背面側へ通し、扉パネルの背面側で各ケースフック１５を各ケースフック取付凹部１３からハンドルケース１の周面１２をなす各面の外側へ突出させて、扉パネルの正面側でフランジ１１を取付用開口の縁部周囲に圧接させるとともに、扉パネルの背面側で各ケースフック１５の各係止爪１５Ｃを取付用開口の縁部又は縁部周囲に係止させて、扉用ハンドルを扉パネルにワンタッチで取り付けるようになっている。
【００２６】
図７にこのハンドルＨの扉パネルＰに対する取り付け方法を示している。
ここで、扉パネルＰには予め所定の位置にハンドルＨの取付用開口Ｐ０をハンドルケース１が嵌挿可能に縦に長い長方形状に形成してある。この場合、扉パネルＰに従来のようなねじ穴や透孔は、不要のため、設けていない。
なお、ハンドルＨは、扉パネルＰに取り付ける前の通常の状態では、ハンドルケース周面１２の各ケースフック１５は各ケースフック１５と各ケースフック取付凹部１３との間のコイルスプリング１７により外側方向に回動付勢されて、各ケースフック１５の係止爪１５Ｃが各ケースフック取付凹部１３からハンドルケース周面１２の各面の外側へ弾性的に突出され、また、各ケースフック１５の一方の端部１５ａの内面１５ｅ側に設けたストッパー１５１（図３参照）と各ケースフック取付凹部１３の底部との衝接係合により、各ケースフック１５の各ケースフック取付凹部１３からの過度の飛び出しが防止される。
【００２７】
図７において、ハンドルＨを扉パネルＰへ取り付けるに当たり、まず、ハンドルケース１のフランジ１１の背面にケースパッキン１１０を被着し、ハンドルケース１を縦向きにして扉パネルＰの取付用開口Ｐ０の向きに合せ、ハンドルケース１を各ケースフック１５とともに扉パネルＰの取付用開口Ｐ０に差し込み、押し込む（ワンプッシュする）。
このようにすると、ハンドルケース１の周面１２は、つまり、ハンドルケース１の上面部１ｂ、下面部１ｅ、左右両側面部１ｃ、１ｄの各面が背面部１ａ側の一端から中間へ、中間から正面部側の他端へ、扉パネルＰの取付用開口Ｐ０の短辺方向及び長辺方向の各縁部を摺動しつつ、扉パネルＰの取付用開口Ｐ０を通過する。この間、ハンドルケース１の上面部１ａ、下面部１ｅ、左右両側面部１ｃ、１ｄの各面から外側に突出される各ケースフック１５の各係止爪１５Ｃが扉パネルＰの取付用開口Ｐ０の短辺方向及び長辺方向の各縁部に接触して押圧され、各係止爪１５Ｃが各ケースフック１５と各ケースフック取付凹部１３との間のコイルスプリング１７の付勢力に抗して（コイルスプリング１７を圧縮しながら）ハンドルケース１の上面部１ｂ、下面部１ｅ、左右両側面部１ｃ、１ｄの各ケースフック取付凹部１３に向けて回動し、各ケースフック取付凹部１３内に没入されていく。そして（ハンドルケース１が扉パネルＰの取付用開口Ｐ０に押し込まれた瞬間）、各ケースフック１５の各係止爪１５Ｃが完全に各ケースフック取付凹部１３内に没入されて、ハンドルケース１が扉パネルＰの取付用開口Ｐ０を完全に通過し、ハンドルケース１の正面開口１０の全周縁部周囲のフランジ１１がケースパッキン１１０を介して扉パネルＰの正面側で取付用開口Ｐ０の全周縁部の周囲に当接するとともに、各ケースフック取付凹部１３内の各ケースフック１５は扉パネルＰの取付用開口Ｐ０の通り抜けにより扉パネルＰの背面側で各ケースフック１５と各ケースフック取付凹部１３との間のコイルスプリング１７の付勢力（コイルスプリング１７の弾性復帰）により各ケースフック１５の各係止爪１５Ｃがハンドルケース１の上面部１ｂ、下面部１ｅ、左右両側面部１ｃ、１ｄの各ケースフック取付凹部１３から外側方向へ回動し、各ケースフック取付凹部１３から外側に突出されて、扉パネルＰの取付用開口Ｐ０の短辺方向及び長辺方向の各縁部に弾性係止される。ここで、このハンドルＨは、図３に示したように、各ケースフック１５の回動中心Ｃ１が各ケースフック１５の一方の端部１５ａ側でかつ外面１５ｄと内面１５ｅとの間の少し内面１５ｅ寄りに設けられ、各ケースフック１５の他方の端部１５ｆが円の中心を各ケースフック１５の回動中心Ｃ１よりも各ケースフック１５の一方の端部１５ａに近くかつ内面１５ｅ寄りの位置におく円弧状に形成されたことで、各ケースフック１５は、各係止爪１５Ｃの外側への回動とともに各係止爪１５Ｃの円弧状の部分が扉パネルＰの取付用開口Ｐ０の縁部に向けて迫り出して、取付用開口Ｐ０の短辺方向及び長辺方向の各縁部に食い込み、これにより、ハンドルケース１の正面側のフランジ１１は（防水パッキン１１０を介して）扉パネルＰの正面側で取付用開口Ｐ０の全周縁部の周囲に引き寄せられて圧接され、ハンドルＨが扉パネルＰに強固に取り付け固定される。このようにしてハンドルＨを扉パネルＰにワンタッチで簡易にかつ確実に固定することができる。
【００２８】
この平面ハンドルとしてのワンタッチ取付ハンドルＨにおいて、ハンドル軸（回転軸）３と止め金４とのワンタッチ取付構造Ｓは、止め金４の正面、背面間を貫通して形成される取付孔４０と、ハンドル軸３の先端に設けられる止め金取付部３Ａとにより構成される。
【００２９】
止め金４は、図４に示すように、鉄又はステンレスのプレートからプレス加工（打ち抜き加工）により一体に成形され、正面視及び背面視横向きの略Ｌ形に形成されて、水平部４１と、垂直部４２とを有し、水平部４１の垂直部４２側の端部近傍にハンドル軸３先端の止め金取付部３Ａに対応する取付孔４０が形成される。この場合、取付孔４０は角形（略四角形）に形成される。
このようにして止め金４はハンドル軸３先端の止め金取付部３Ａに回転不能に取り付けられて、ハンドルレバー２を任意の引き起こし位置で所定の開方向に回すことにより、ハンドルレバー２とハンドル軸３の間の回動軸５を介してハンドル軸３を同方向に一体回転して、止め金４がキャビネット本体などの固定枠体側の受け金に係合し、ハンドルレバー２をこれとは反対の閉方向に回すと、回動軸５を介してハンドル軸３を同方向に一体回転して、止め金４がキャビネット本体などの固定枠体側の受け金から離脱するようになっている。
【００３０】
ハンドル軸３は、図５に示すように、先端の基本形状が角形、この場合、断面四角形で所定の長さに形成され、止め金取付３Ａ部はこのハンドル軸３の角形の先端に、既述のとおり、複数の止め金フック取付凹部３３、及び複数の軸受３４と、複数の止め金フック３５（図２参照）と、一つ又は複数のばね部材３７（図２参照）とを備えて構成される。
【００３１】
複数の止め金フック取付凹部３３はハンドル軸３の先端側の周面３２をなす少なくとも相互に対向する２面にそれぞれ凹設される。
この場合、止め金フック取付凹部３３はハンドル軸３先端の上面部３２１、下両部３２２の幅方向中央に１箇所ずつ、合計２箇所に先端面を開口して凹設される。また、この場合、ハンドル軸３先端の上面部３２１、下面部３２２の各ケースフック取付凹部３３は断面コ字形に形成され、その底部の後部側（ハンドル軸３の基端寄り）には底部の長さ方向に長い長円形の孔からなるばね通し部３２０が形成される。
【００３２】
複数の一対の軸受３４は各止め金フック取付凹部３３の両側に形成される。
この場合、ハンドル軸３先端の上面部３２１、下面部３２２の各止め金フック取付凹部３３では、左右両側に一対の軸受３４が形成され、左右の各軸受３４の先端側に軸挿通部３４０が各軸受３４の内面（止め金フック取付凹部３３の内側面）と外面（ハンドル軸３先端の左右各側面部）との間を貫通して形成される。
【００３３】
複数の止め金フック３５はそれぞれ、図６に示すように、各止め金フック取付凹部３３内に嵌合可能に略コマ状に形成され、各一対の軸受３４に対向する両側面部３５ｂ、３５ｃ間で一方の端部３５ａ側に回動中心Ｃ２を設けられ、各止め金フック取付凹部３３内に嵌合配置されて外側に表れる外面３５ｄから他方の端部３５ｆにかけてを係止爪３５Ｃとなし、各一対の軸受３４の先端間に上下並列に架け渡される２つの軸３６を介して回動可能に支持されて、各係止爪３５Ｃを止め金フック取付凹部３３からハンドル軸３先端の周面３２をなす各面（上面部３２１、下面部３２２）の外側へ出没可能に配置される。
この場合、各止め金フック３５は、軸支側となる一方の端部３５ａ側の両側部３５ｂ、３５ｃ間に回動中心Ｃ２として軸挿通部３５０が設けられ、その反対の他方の端部３５ｆが、円の中心を当該回動中心Ｃ２よりも一方の端部３５ａ側でかつ外面３５ｄとは反対側の内面３５ｅ寄りの位置におく円弧状に形成される。
また、各止め金フック３５は、外面３５ｄがハンドル軸３先端の周面３２をなす各面と略平行に形成される。一方の端部３５ａ、つまり、外面３５ｄの一端と内面３５ｅの一端との間は断面略Ｖ字形の突状に形成されて外面３５ｄに連続する一方の面が所定の円弧状の面に、内面３５ｅに連続する他方の面は所定の角度を付けた傾斜面に形成される。なお、この内面３５ｅに連続する他方の面は外面３５ｄに連続する一方の面との間に所定の角度を付けられて、止め金フック取付凹部３３の底部に係合可能なストッパー３５１になっており、このストッパー３５１と止め金フック取付凹部３３の底部との衝接係合により、各止め金フック３５の各止め金フック取付凹部３３から突出方向への過度の回動、すなわち各止め金フック３５の各止め金フック取付凹部３３からの飛び出しが規制されるようになっている。そして、内面３５ｅが外面３５ｄと対称的に外面３５ｄと平行に又は平行よりも少し開く方向に向けて、この場合は、平行よりも少し開く方向に向けて形成される。なお、ここで各止め金フック３５の外面３５ｄ、内面３５ｅは四角形の平面に、左右の各側面部３５ｂ、３５ｃは外面３５ｄ、内面３５ｅの幅よりも幅狭の四角形の平面に、一方の端部３５ａは断面略Ｖ字形で、この場合、外面３５ｄに連続する一方の面は所定の円弧状の面に、内面３５ｅに連続する他方の面は所定の角度を付けた傾斜面（ストッパー３５１）に、他方の端部３５ｆは外面３５ｄ、内面３５ｅの幅よりも幅狭の四角形で断面円弧状の面になっている。このような止め金フック３５の形状により、ハンドル軸３先端の周面３２の限られたスペースに形成された止め金フック取付凹部３３に合わせて小型に形成し、止め金フック取付凹部３３に取り付けることができる。
このようにして上下の各止め金フック３５は、上面部３２１、下面部３２２の各止め金フック取付凹部３３に、左右の各軸受３４の軸挿通部３４０と各止め金フック３５の軸挿通部３５０との間に挿通される軸３６、この場合、ステンレス製のスプリングピンを介して軸支されて、各係止爪３５Ｃが各止め金フック取付凹部３３からハンドル軸３先端の周面３２をなす上面部３２１、下面部３２２の外側へ出没可能に配置される。
また、この場合、一つ又は複数のばね部材３７に後述のとおりコイルスプリング（以下コイルスプリング３７という。）が一つ用いられるため、各止め金フック３５の内面３５ｅに有底（円）筒状の孔３５２が形成され、一つのコイルスプリング３７が両端を各止め金フック３５の孔３５２に保持され、各止め金フック３５間に介装される。
ここで各止め金フック３５の孔３５２は、ハンドル軸３の先端が各止め金フック３５とともに止め金４の取付孔４０に通される前又は後で、各止め金フック３５の各係止爪３５Ｃが各止め金フック取付凹部３３からハンドル軸３先端の周面３２をなす各面から外側へ突出されるときに、コイルスプリング３７をハンドルケース１のフランジ１１側に凸の円弧状に変形案内可能に、各止め金フック３５の内面３５ｅに対して所定の角度を付けて形成され、かつ各止め金フック３５の孔３５２の各止め金フック３５の一方の端部３５ａ側及び他方の端部３５ｆ側の内周面の一部が、ハンドル軸３の先端が各止め金フック３５とともに止め金４の取付孔４０に通される間で、各止め金フック３５の各係止爪３５Ｃが各止め金フック取付凹部３３に没入されるときに、コイルスプリング３７をハンドルケース１のフランジ１１とは反対側に凸の円弧状に変形案内可能に、孔３５２の奥側から開口側に向けて漸次拡径される所定の角度の傾斜を付けて形成される。
【００３４】
一つ又は複数のばね部材３７は各止め金フック取付凹部３３間を貫通して各止め金フック３５間に又は各止め金フック３５と各止め金フック取付凹部３３との間に介装され、各係止爪３５Ｃを常態として各止め金フック取付凹部３３からハンドル軸３の先端側の周面３２をなす各面の外側へ突出可能に回動付勢する。
この場合、一つのコイルスプリング３７が用いられ、コイルスプリング３７は、ハンドル軸３先端の上面部３２１、下面部３２２の各止め金フック取付凹部３３間のばね通し部３２０を通じて一端が上面部３２１のケースフック取付凹部３３内の止め金フック３５の孔３５２の底部に取り付けられ、他端が下面部３２２のケースフック取付凹部３３内の止め金フック３５の孔３５２の底部に取り付けられて、上下の各止め金フック３５間に介装され、各止め金フック３５の各係止爪３５Ｃを常態として各止め金フック取付凹部３３からハンドル軸３先端の周面３２をなす上面部３２１、下面部３２２の外側へ突出可能に回動付勢し、そして、既述のとおり、各止め金フック３５のストッパー３５１と各止め金フック取付凹部３３の底部との衝接係合により、各止め金フック３５の各止め金フック取付凹部３３から突出方向への過度の回動、すなわち各止め金フック３５の各止め金フック取付凹部３３からの飛び出しを規制される。
なお、ここではハンドル軸３先端の止め金取付部３Ａに一対の止め金フック３５が１組設けられているため、コイルスプリング３７は一つのみ用いられたが、一対の止め金フック３５が２組以上設けられることで、複数のコイルスプリングが採用される
【００３５】
このようにして止め金４のハンドル軸３先端の止め金取付部３Ａへの取り付けに当たり、ハンドル軸３を止め金４の取付孔４０に止め金４の正面側から背面側へ挿入するとともに、ハンドル軸３の先端の各止め金フック３５を止め金４の取付孔４０の縁部で押圧して各止め金フック取付凹部３３に没入させながら取付孔４０を止め金４の正面側から背面側へ通し、止め金４の背面側で各止め金フック３５をハンドル軸３先端の周面３２をなす各面から外側へ突出させて、止め金４の正面側でハンドルケース１（ハンドル取付部１０３）の背面を取付孔４０の縁部周囲に圧接させるとともに、止め金４の背面側で各止め金フック３５の各係止爪３５Ｃを取付孔４０の縁部又は縁部周囲に係止させて、止め金４をハンドル軸３にワンタッチで取り付けるようになっている。
【００３６】
図７に止め金４のハンドル軸３先端の止め金取付部３Ａに対する取り付け方法を併せて示している。
なお、止め金取付部３Ａは、止め金４を止め金取付部３Ａに取り付ける前の通常の状態では、ハンドル軸３の先端周面３２の各止め金フック３５が各止め金フック３５間のコイルスプリング３７により相互に外側方向に回動付勢されて、各止め金フック３５の各係止爪３５Ｃが各止め金フック取付凹部３３からハンドル軸３の先端周面３２の各面の外側へ弾性的に突出され、また、各止め金フック３５の一方の端部３５ａの内面３５ｅ側のストッパー３５１と各止め金フック取付凹部３３の底部との衝接係合により、各止め金フック３５の各止め金フック取付凹部３３からの過度の飛び出しが防止される。
【００３７】
図７において、止め金４をハンドル軸３の先端に取り付けるに当たり、まず、止め金４の取付孔４０とハンドル軸３の先端の上下の向きを合せて、ハンドル軸３の先端を止め金フック３５とともに止め金４の取付孔４０に差し込み、押し込む（ワンプッシュする）。
このようにすると、ハンドル軸３の先端は、ハンドル軸３の先端周面３２の各面が先端から中間へ、中間から基端へ止め金４の取付孔４０の各縁部を摺動しつつ、止め金４の取付孔４０を通過する。この間、ハンドル軸３先端の上面部３４１、下面部３４２の各止め金フック取付凹部３３から外側に突出される各止め金フック３５の各係止爪３５Ｃは止め金４の取付孔４０の上下の各縁部に接触して押圧され、各係止爪３５Ｃが各止め金フック３５間のコイルスプリング３７（図２参照）の付勢力に抗して（コイルスプリング３７を圧縮しながら）各止め金フック取付凹部３３内に向けて回動し没入されていく。そして（ハンドル軸３の先端が止め金４の取付孔４０に押し込まれた瞬間）、各止め金フック３５の各係止爪３５Ｃが完全に各止め金フック取付凹部３３内に没入されて、ハンドル軸３の先端が止め金４の取付孔４０を完全に通過し、ハンドルケース１のハンドル取付部１０３の背面部が止め金４の正面側で取付孔４０の全周縁部の周囲に当接するとともに、各止め金フック取付凹部３３内の各止め金フック３５は止め金４の取付孔４０の通り抜けにより止め金４の背面側で各止め金フック３５間のコイルスプリング３７の付勢力（コイルスプリング３７の弾性復帰）により各止め金フック３５の各係止爪３５Ｃが各止め金フック取付凹部３３から外側へ向けて回動し各止め金フック取付凹部３３から外側に突出されて、止め金４の取付孔４０の上下の各縁部に弾性係止される。ここで、この止め金フック３５は、図６に示したように、各止め金フック３５の回動中心Ｃ２が各止め金フック３５の一方の端部３５ａ側でかつ外面３５ｄと内面３５ｅとの間の少し外面３５ｄ寄りに設けられ、各止め金フック３５の他方の端部３５ｆが円の中心を各止め金フック３５の回動中心Ｃ２よりも各止め金フック３５の一方の端部３５ａに近くかつ内面３５ｅ寄りの位置におく円弧状に形成されたことで、各止め金フック３５は、各係止爪３５Ｃの外側への回動とともに各係止爪３５Ｃの円弧状の部分が止め金４の取付孔４０の上下の各縁部に向けて迫り出して、取付孔４０の上下の各縁部に食い込み、これにより、ハンドルケース１のハンドル取付部１０３の背面部は止め金４の正面側で取付孔４０の全周縁部の周囲に圧接されて、止め金４がハンドル軸３先端の止め金取付部３Ａに強固に取り付け固定される。このようにして止め金４をハンドルケース１のハンドル取付部１０３から突出されるハンドル軸３先端の止め金取付部３Ａにワンタッチで簡易にしかも確実に固定することができる。
【００３８】
以上説明したように、このワンタッチ取付ハンドルＨによれば、既述の構成により、扉用ハンドルの扉パネルへの取り付けに当たり、ハンドルケース１を扉パネルの取付用開口に扉パネルの正面側から背面側へ挿入するとともに、ハンドルケース１の周面１２の各ケースフック１５を取付用開口の縁部で押圧して各ケースフック取付凹部１３に没入させながら取付用開口に扉パネルの正面側から背面側へ通し、扉パネルの背面側で各ケースフック１５を各ケースフック取付凹部１３からハンドルケース１の周面１２をなす各面の外側へ突出させて、扉パネルの正面側でフランジ１１を取付用開口の縁部周囲に圧接させるとともに、扉パネルの背面側で各ケースフック１５の各係止爪１５Ｃを取付用開口の縁部又は縁部周囲に係止させて、扉用ハンドルを扉パネルにワンタッチで取り付けるようにしたので、ハンドルケース１を扉パネルに、ねじを使用することなしに、ワンタッチで簡易にかつ確実に取り付けることができ、取付作業の大幅な向上を図ることができる。また、取付ねじを用いないことで、ハンドルＨの取り付けに要する部品点数を大幅に削減し、コストの大幅な低減を図ることができる。
【００３９】
また、このハンドルＨはさらに次のような利点を有する。
（１）各ケースフック１５は、一方の端部１５ａ側の両側面部１５ｂ、１５ｃ間に回動中心Ｃ１として軸挿通部１５０が設けられ、他方の端部１５ｆが円の中心を当該回動中心Ｃ１よりも一方の端部１５ａ側でかつ外面１５ｄとは反対側の内面１５ｅ寄りの位置におく円弧状に形成されるので、ハンドルケース１を扉パネルの取付用開口に通しワンプッシュした後の各ケースフック１５を、各係止爪１５Ｃの外側への回動とともにこの係止爪１５Ｃの円弧状の部分が取付用開口の縁部に向けて迫り出して、取付用開口の縁部に食い付かせることができ、これにより、ハンドルＨのフランジ１１を取付用開口の全周縁部の周囲に圧接させ、扉パネルをハンドルＨのフランジ１１と各一対のケースフック１５との間で締め付けて、ハンドルＨを扉パネルの取付用開口に確実に固定することができる。
（２）各ケースフック１５は、外面１５ｄがハンドルケース１の周面１２をなす各面と略平行に形成され、一方の端部１５ａが断面略Ｖ字形の突状に形成され、内面１５ｅが外面１５ｄと対称的に外面１５ｄと平行に又は平行よりも少し開く方向に向けて形成されることで、各ケースフック１５をハンドルケース１の周面１２の各ケースフック取付凹部１３内に各係止爪１５Ｃのみをケースフック取付凹部１３から出没可能に配置することができる。
（３）各ケースフック１５の内面１５ｅに筒状の孔１５２が形成され、ばね部材として複数のコイルスプリング１７を採用され、各コイルスプリング１７が一端を各ケースフック１５の孔１５２に保持され、他端を各ケースフック取付凹部１３の底部に保持されて、各ケースフック１５と各ケースフック取付凹部１３との間に介装されるので、各ケースフック１５を簡単な構造で各ケースフック取付凹部１３の外側へ確実に回動付勢することができる。
この場合、各ケースフック１５の孔１５２は、ハンドルケース１が各ケースフック１５とともに扉パネルの取付用開口に通される前又は後で、各ケースフック１５の各係止爪１５Ｃが各ケースフック取付凹部１３からハンドルケース１の周面１２をなす各面から突出されるときに、各コイルスプリング１７をフランジ１１側に凸の円弧状に変形案内可能に、各ケースフック１５の内面１５ｅに対して所定の角度を付けて形成され、かつ孔１５２のケースフック１５の一方の端部１５ａ側の内周面の一部が、ハンドルケース１がケースフック１５とともに取付用開口に通される間で、各ケースフック１５の各係止爪１５Ｃが各ケースフック取付凹部１３に没入されるときに、各コイルスプリング１７をフランジ１１とは反対側に凸の円弧状に変形案内可能に、孔１５２の奥側から開口側に向けて漸次拡径される所定の角度の傾斜を付けて形成されるので、コイルスプリング１７の伸縮変形を良好にし、各ケースフック１５の各係止爪１５Ｃを各ケースフック取付凹部１３から確実かつ円滑に出没させることができる。
【００４０】
さらに、このワンタッチ取付ハンドルＨにおいて、回転軸３と止め金４とのワンタッチ取付構造Ｓによれば、既述の構成により、止め金４の回転軸３の止め金取付部３Ａへの取り付けに当たり、回転軸３を止め金４の取付孔４０に止め金４の正面側から背面側へ挿入するとともに、回転軸３の先端の各止め金フック３５を止め金４の取付孔４０の縁部で押圧してフック取付凹部３３に没入させながら取付孔４０を止め金４の正面側から背面側へ通し、止め金４の背面側で各止め金フック３５を回転軸３の先端側の周面３２をなす各面から外側へ突出させて、止め金４の正面側でハンドルケース１の背面部１ａを取付孔４０の縁部周囲に圧接させるとともに、止め金４の背面側で各止め金フック３５の各係止爪３５Ｃを取付孔４０の縁部又は縁部周囲に係止させて、止め金４を回転軸３にワンタッチで取り付けるようにしたので、止め金４を回転軸３先端の止め金取付部３Ａに、ねじを使用することなしに、ワンタッチで簡易にかつ確実に取り付けることができ、取付作業の大幅な向上を図ることができる。また、取付ねじを用いないことで、止め金４の取り付けに要する部品点数を大幅に削減し、コストの大幅な低減を図ることができる。
【００４１】
また、この回転軸３と止め金４とのワンタッチ取付構造Ｓはさらに次のような利点を有する。
（１）各止め金フック３５は、一方の端部３５ａ側の両側面部３５ｂ、３５ｃ間に回動中心Ｃ２として軸挿通部３５０が設けられ、他方の端部３５ｆが円の中心を回動中心Ｃ２よりも一方の端部３５ａ側でかつ外面３５ｄとは反対側の内面３５ｅ寄りの位置におく円弧状に形成されるので、回転軸３５を止め金４の取付孔４０に通しワンプッシュした後の各止め金フック３５を、各係止爪３５Ｃの外側への回動とともにこの係止爪３５Ｃの円弧状の部分が止め金４の取付孔４０の縁部に向けて迫り出して、取付孔４０の縁部に食い付かせることができ、これにより、止め金４をハンドルケース１のハンドル取付部１０３の背面部に圧接させ、止め金４をハンドル取付部１０３の背面部と各一対の止め金フック３５との間で締め付けて、止め金４を回転軸３に確実に固定することができる。
（２）各止め金フック３５は、外面３５ｄが回転軸３の周面３２をなす各面と略平行に形成され、一方の端部３５ａが断面略Ｖ字形の突状に形成され、内面３５ｅが外面３５ｄと対称的に外面３５ｄと平行に又は平行よりも少し開く方向に向けて形成されることで、各止め金フック３５を回転軸３の周面３２の各止め金フック取付凹部３３内に各係止爪３５Ｃのみを止め金フック取付凹部３３から出没可能に配置することができる。
（３）各止め金フック３５の内面３５ｅに筒状の孔３５２が形成され、ばね部材としてコイルスプリング３７を採用され、コイルスプリング３７が両端を各止め金フック３５の孔３５２に保持されて、各止め金フック３５間に介装されるので、各止め金フック３５を簡単な構造で各止め金フック取付凹部３３の外側へ確実に回動付勢することができる。
この場合、各止め金フック３５の孔３５２は、回転軸３が各止め金フック３５とともに止め金４の取付孔４０に通される前又は後で、各止め金フック３５の各係止爪３５Ｃがフック取付凹部３３から外側へ突出されるときに、コイルスプリング３７をフランジ１１側に凸の円弧状に変形案内可能に、各止め金フック３５の内面３５ｅに対して所定の角度を付けて形成され、かつ各止め金フック３５の孔３５０の各止め金フック３５の一方の端部３５ａ側及び／又は他方の端部３５ｆ側の内周面の一部が、回転軸３が各止め金フック３５とともに止め金４の取付孔４０に通される間で、各止め金フック３５の各係止爪３５Ｃが止め金フック取付凹部３３に没入されるときに、コイルスプリング３７をフランジ１１とは反対側に凸の円弧状に変形案内可能に、孔３５２の奥側から開口側に向けて漸次拡径される所定の角度の傾斜を付けて形成されるので、コイルスプリング３７の伸縮変形を良好にし、各止め金フック３５の各係止爪３５Ｃを各止め金フック取付凹部３３から確実かつ円滑に出没させることができる。
【００４２】
なお、この実施の形態では、ワンタッチ取付ハンドルＨにおいても、回転軸３と止め金４とのワンタッチ取付構造Ｓにおいても、ばね部材にコイルスプリング１７、３７が用いられ、コイルスプリング１７、３７がケースフック１５とケースフック取付凹部１３との間、一対の止め金フック３５間に介装されるものとしたが、このばね部材にトーションスプリングや板ばねが用いられ、ケースフックとケースフック取付凹部との間、止め金フックと止め金フック取付凹部との間に介装されるものであってもよい。
このようにしても上記実施の形態と同様の作用効果を奏することができる。
【００４３】
また、この実施の形態では、ワンタッチ取付ハンドルＨは、扉パネルの背面側で各ケースフック１５の各係止爪１５Ｃを扉パネルの取付用開口の縁部に係止させるものとしたが、各ケースフック１５の各係止爪１５Ｃを扉パネルの取付用開口の縁部周囲に係止させるものとしてもよく、また、回転軸３と止め金４とのワンタッチ取付構造Ｓは、止め金４の背面側で各止め金フック３５の各係止爪３５Ｃを取付孔４０の縁部に係止させるものとしたが、止め金４の背面側で各止め金フック３５の各係止爪３５Ｃを取付孔４０の縁部周囲に係止させるものとしてもよい。
このようにしても上記実施の形態と同様の作用効果を奏することができる。
【００４４】
さらに、この実施の形態では、ワンタッチ取付ハンドルＨについて、平面ハンドルを例示して説明したが、平面ハンドル以外の扉用ハンドルでも、ハンドルケースの正面開口の周囲にフランジを有し、ハンドルケースに周面（周壁）や相互に対向する側面（側壁）を有する限り、どのような形式の扉用ハンドルにも同様に適用することができ、また、回転軸３と止め金４とのワンタッチ取付構造Ｓについて、平面ハンドルを例示して説明したが、平面ハンドル以外の扉用ハンドルでも、扉用ハンドルを扉パネルに取り付けるためのハンドルケースやハンドルベースを備え、これらハンドルケースやハンドルベースに回転軸が挿着されて、これらハンドルケースやハンドルベースの背面側で回転軸の先端に止め金が取り付けられる形式である限り、どのような形式の扉用ハンドルにも同様に適用することができる。
このようにしても上記実施の形態と同様の作用効果を奏することができる。
【符号の説明】
【００４５】
Ｈ  ワンタッチ取付ハンドル（ハンドル）
１  ハンドルケース
１ａ  背面部
１ｂ  上面部
１ｃ  左側面部
１ｄ  右側面部
１ｅ  下面部
１０  開口
１０１  軸挿通穴
１０２  円筒部
１０３  ハンドル取付部
１０４  通し穴
１０５  角筒部
１０６  ハンドルレバー収納凹部
１０７  ハンドルレバー収納部
１１  フランジ
１１０  ケースパッキン
１１１  スライダー挿入部（受け部）
１２  周面
１３  ケースフック取付凹部
１３１  立ち上がり部
１３２  フック保持プレート
１３３  切り欠き
１３４  ねじ挿通孔
１３５  ねじ
１３６  ねじ孔
１４  軸受
１４０  軸挿通部
１４１  軸挿通部
１５  ケースフック
１５Ｃ  係止爪
１５ａ  一方の端部
１５ｂ  一方の側面部
１５ｃ  他方の側面部
１５ｄ  外面
１５ｅ  内面
１５ｆ  他方の端部
１５０  軸挿通部
１５１  ストッパー
１５２  孔
Ｃ１  回動中心
１６  軸
１７  ばね部材（コイルスプリング）
２  ハンドルレバー
２ａ  正面部
２ｂ  背面部
２ｃ  上面部
２ｆ  下面部
２０  軸受
２１  穴
２２  角筒部
２３  錠前ユニット収納部
２４  グリップ部
２５  保護部材取付部
２６  保護部材
Ｓ  回転軸と止め金とのワンタッチ取付構造（ワンタッチ取付構造）
３  回転軸（ハンドル軸）
Ｂ  取付ベース
３Ａ  止め金取付部
３Ｂ  軸受
３２  周面
３２０  ばね通し部
３２１  上面部
３２２  下面部
３３  止め金フック取付凹部
３４  軸受
３４０  軸挿通部
Ｃ２  回動中心
３５  止め金フック
３５Ｃ  係止爪
３５０  軸挿通部
３５１  ストッパー
３５２  孔
３５ａ  一方の端部
３５ｂ  一方の側面部
３５ｃ  他方の側面部
３５ｄ  外面
３５ｅ  内面
３５ｆ  他方の端部
３６  軸
３７  ばね部材（コイルスプリング）
３８  曲面板バネ
４  止め金
４０  取付孔
４１  水平部
４２  垂直部
５  回動軸
６  錠前ユニット（シリンダー錠）
６０  キー孔
６１  スライダー（錠止部材）
７  インジケータ
Ｐ  扉パネル
Ｐ０  取付用開口
【図１】
2020122344.tif 000003
【図２】
2020122344.tif 000004
【図３】
2020122344.tif 000005
【図４】
2020122344.tif 000006
【図５】
2020122344.tif 000007
【図６】
2020122344.tif 000008
【図７】
2020122344.tif 000009